(57)【特許請求の範囲】
【請求項１】
ディスク装置に挿入されたディスクを保持するディスクホルダユニットを有するディスクホールド機構において、前記ディスクが前記ディスクホルダユニット内に保持されている状態で、前記ディスクのほぼ中心部を該デイスクの上面から下方へ向けて付勢する板バネを備え、前記ディスクホルダユニットは、係合片を持つと共に、前記ディスクの中央部と対応する位置に開口が形成されており、前記板バネは中央部に前記係合片に係合される開口を有し、これによって前記板バネは前記ディスクホルダユニットの上面に取り付けられ、前記板バネは、前記ディスクホルダユニットの前記開口を介して前記ディスクホルダユニットの上面から下方へ突出する突起部を備えており、これによって、前記ディスク装置に対して外部から振動や衝撃が加わっても、前記ディスクが前記ディスクホルダユニット内でガタつくのを防止するようにしたことを特徴とするディスクホールド機構。
【請求項２】
請求項１に記載のディスクホールド機構を備えたディスク装置。
【発明の詳細な説明】
【０００１】
【発明の属する技術分野】
本発明は、フロッピーディスクの磁気ディスク媒体に対してデータの書込み／読出しを行うためのフロッピーディスク装置のようなディスクドライブに関し、特に、フロッピーディスクのようなディスクを保持するディスクホールド機構に関する。
【０００２】
【従来の技術】
周知のように、フロッピーディスクドライブ（ＦＤＤ）は、その中に挿入されたフロッピーディスクの磁気ディスク媒体に対してデータの書込み／読出し（記録再生）を行うためのドライブユニットである。このようなデータの記録再生を行うために、フロッピーディスクドライブはフロッピーディスクを保持しつつ回転駆動しなければならない。その際、フロッピーディスクをそのケースが動かないように固定して保持する必要があると共に、フロッピーディスクをチャッキングする必要がある。フロッピーディスクをそのケースが動かないように固定して保持する機構はディスクホールド機構と呼ばれ、フロッピーディスクをチャッキングするための機構はディスクチャッキング機構と呼ばれる。
【０００３】
フロッピーデイスクはケース内に収納された磁気ディスク媒体を有する。また、フロッピーデイスクはケースの裏面側中央部にディスクハブを備えている。ディスクホールド機構はフロッピーディスクを保持するディスクホルダユニットを含む。ディスクチャッキング機構はディスクハブを磁気的に吸引するディスクテーブルを含む。
【０００４】
【発明が解決しようとする課題】
このような構造のフロッピーディスクドライブにおいて、フロッピーディスクの磁気ディスク媒体に対してデータの書込み／読出しを行っている最中（すなわち、フロッピーディスクドライブの動作中）に、外部から振動や衝撃等がフロッピーディスクドライブに対して加わる場合がある。その際、ディスクチャッキング機構のディスクテーブルは、フロッピーディスクドライブのドライブ本体に対してガタを持っているので、上下方向へ振動する。そして、ディスクテーブル上にフロッピーディスクのディスクハブが磁気的に吸引されているだけなので、フロッピーディスク自体がドライブ本体に対して上下方向へ振動してしまう。フロッピーディスクがドライブ本体に対して上下方向へ振動すると、フロッピーディスクの磁気ディスク媒体に対してそれにアクセスする磁気ヘッドのヘッドタッチが不安定になってしまう。その結果、磁気ディスク媒体に対するデータの読出しエラーが発生してしまう。
【０００５】
したがって、本発明の課題は、動作中にディスクドライブに対して外部から振動や衝撃等が加わっても、データの読出しエラーの発生を防ぐことができる、ディスクホールド機構およびそれを備えたディスクドライブを提供することにある。
【０００６】
本発明の他の課題は、動作中にディスクドライブに対して外部から振動や衝撃等が加わっても、磁気ディスク媒体に対する磁気ヘッドのヘッドタッチを常に安定に維持することができる、ディスクホールド機構およびそれを備えたディスクドライブを提供することにある。
【０００７】
本発明のもっと他の課題は、動作中にディスクドライブに対して外部から振動や衝撃等が加わったときに、ディスク自体の上下方向の動きを規制することができる、ディスクホールド機構およびそれを備えたディスクドライブを提供することにある。
【０００８】
【課題を解決するための手段】
本発明によれば、ディスク装置に挿入されたディスクを保持するディスクホルダユニットを有するディスクホールド機構において、ディスクがディスクホルダユニット内に保持されている状態で、ディスクのほぼ中心部をこのディスクの上面から下方へ向けて付勢する板バネを備え、ディスクホルダユニットは、係合片を持つと共に、ディスクの中央部と対応する位置に開口が形成されており、板バネは中央部に係合片に係合される開口を有し、これによって板バネはディスクホルダユニットの上面に取り付けられ、板バネは、ディスクホルダユニットの開口を介してディスクホルダユニットの上面から下方へ突出する突起部を備えており、これによって、ディスク装置に対して外部から振動や衝撃が加わっても、ディスクがディスクホルダユニット内でガタつくのを防止するようにしたことを特徴とするディスクホールド機構が得られる。
【０００９】
【作用】
板バネによって、ディスクのほぼ中心部がその上面から下方へ向けて付勢されるので、ディスク装置に対して外部から振動や衝撃が加わっても、ディスクがディスクホルダユニット内でガタつくのを防止できる。
【００１０】
【発明の実施の形態】
最初に、本発明に係るディスクホールド機構について説明する前に、フロッピーディスクについて説明する。フロッピーディスクは磁性体を塗布した薄い円盤に磁気的にデータを記録し、読み書きする記録媒体であって、プラスチックでできた四角いケースに入っている。フロッピーディスクは、フレキシブルディスクまたはディスケットとも呼ばれる。
【００１１】
図４は、後述するディスクホールド機構によって保持され、ディスクチャッキング機構によってチャッキングされるフロッピーディスク４０を、裏面側から見た平面図である。図示のフロッピーディスク４０は、３．５インチの大きさを持つ大容量フロッピーディスクであって、磁気記録媒体としての磁気ディスク媒体４１と、この磁気ディスク媒体４１を覆うケース４２とを有する。ケース４２はプラスチック製で四角い形状をしている。ケース４２の裏面側にはその中心部に円形開口４２ａが開けられている。この円形開口４２ａ内に、磁気ディスク媒体４１を保持するディスクハブ４３が遊貫されている。ディスクハブ４３は強磁性金属製の円板状金具である。このディスクハブ４３は、その中心部にディスク中心孔４３ａと、このディスク中心孔４３ａから偏心した位置に駆動用長孔４３ｂとをもつ。ディスク中心孔４３ａは四角い形状をしており、ディスク中心孔４３ａには後述するスピンドルシャフトが嵌入される。駆動用長孔４３ｂには後述する駆動ローラが遊貫される。駆動用長孔４３ｂはチャッキング穴とも呼ばれ、駆動ローラはチャッキングピンとも呼ばれる。
【００１２】
又、フロッピーディスク４０のケース４１には、それを裏側から見た場合に、図４の矢印Ａで示す挿入方向後端の右側角部（表面側から見た場合には左側角部）に書込み保護用孔（図示せず）が穿設されている。図４では、この書込み保護用孔が書込み保護用タブ４４で閉じられている状態を示している。この書込み保護用タブ４４は挿入方向Ａに沿って摺動可能であり、これを手動操作するによって書込み保護用孔の開閉を行うことができる。書込み保護用タブ４４によって書込み保護用孔を閉じると、記録可の状態となり、書込み保護用孔を開けると、記録不可の状態となる。
【００１３】
図示の大容量フロッピーディスク４０は、記憶容量が２種類（例えば、１２８Ｍバイトと２５６Ｍバイト）ある場合の例を示している。書込み保護用孔の近傍に大容量識別検出用孔４５が穿設されている。この大容量識別検出用孔４５は大容量フロッピーディスク４０と通常容量フロッピーディスクとを識別するためのものである。さらに、種類識別用検出孔４６が大容量識別検出用孔４５と共に書込み保護用孔の近傍に選択的に穿設される。この種類識別用検出孔４６は大容量フロッピーディスクの種類を識別するためのこのであり、この有無によって大容量フロッピーディスクの種類を識別可能とする。例えば、記憶容量が１２８Ｍバイトの大容量フロッピーディスクの場合には、そのケース４２に識別検出用検出孔４６を穿設さず、記憶容量が３５６Ｍバイトの大容量フロッピーディスクの場合には、そのケース４２に種類識別用検出孔４６を穿設するようにすれば良い。
【００１４】
更に、ケース４２の裏面側には、図４の矢印Ａで示す挿入方向前方の右側および左側角部に、それぞれ、後述する係合ピンと係合する係合穴４７および４８が形成されている。図４に示すように、係合穴４７は円形をしているが、係合穴４８は、矢印Ａで示す挿入方向と直交する方向に細長い形状を有する。また、参照符号４９はシャッタである。
【００１５】
尚、フロッピーディスク４０のチャッキング時、ディスクチャッキング機構の駆動ローラ（チャッキングピン）は、ディスクハブ４３の駆動用長孔（チャッキング穴）４３ｂの半径方向外側の角部４３ｃに当接される。
【００１６】
図５に、図４に示した大容量フロッピーディスク４０の磁気ディスク媒体４１に対してデータの記録再生を行う装置である、高密度型フロッピーディスクドライブ（ＦＤＤ）を示す。大容量フロッピーディスク４０は図５中の矢印Ａで示す方向から高密度型フロッピーディスクドライブ中に挿入される。挿入された大容量フロッピーディスク４０は、メインフレーム１１の表面上で回転可能に支持されたディスクテーブル１２上に、互いに中心軸が一致した状態で保持される。ディスクテーブル１２はメインフレーム１１の凹部（後述する）内に埋め込まれた状態で設けられたスピンドルモータ（後述する）によって回転駆動され、これによって大容量フロッピーディスク４０の磁気ディスク媒体４１は、例えば、３６００ｒｐｍの高速度で回転する。また、メインフレーム１１の裏面には、多数の電子部品を搭載したプリント配線基板（図示せず）が取り付けられている。
【００１７】
高密度型フロッピーディスクドライブは、大容量フロッピーディスク４０の磁気ディスク媒体４１に対してデータの書込み／読出しを行う磁気ヘッド（図示せず）を備えている。磁気ヘッドはジンバル１４を介してキャリッジ１５によって保持されている。磁気ヘッドとジンバル１４とボイスコイル１７（図示せず）とＦＰＣ（フレキシブル・プリンテッド・サーキット）とスケールとスプリングホルダとバネとの組み合わせをキャリッジアセンブリと呼ぶ。キャリッジ１５はメインフレーム１１の表面上でメインフレーム１２から離間して配置されており、磁気ヘッドを大容量フロッピーディスク４０に対して所定の半径方向（図５の矢印Ｂで示す方向）に沿って移動可能である。
【００１８】
キャリッジ１５は、その両側下端で、所定の半径方向Ｂに対して平行に延在する一対のバイドバー１６によって、支持及び案内される。
【００１９】
このキャリッジ１５は、以下に述べるようなボイスコイルモータによって所定の半径方向Ｂに沿って駆動される。詳細に説明すると、ボイスコイルモータはキャルッジ１５の後方に配置され、所定の半径方向Ｂと平行な駆動軸の回りに巻回された一対のボイスコイル１７と、このボイスコイル１７を介して流れる電流と交叉する磁界を発生するための磁気回路１８とを有する。このような構成のボイスコイルモータにおいて、磁気回路１８で発生された磁界と交叉する方向にボイスコイル１７に電流を流すことにより、この電流と磁界との相互作用に基づいていて、周知のフレミングの左手の法則に従って、駆動軸の延在方向に駆動力が発生する。この駆動力により、ボイスコイルモータはキャリッジ１５を所定の半径方向Ｂに沿って移動される。
【００２０】
フロッピーディスクドライブ１０は、フロッピーディスク４０に備えられたシャッタ４９（図４）を開閉するシャッタ駆動機構と、フロッピーディスク４０を排出するためのイジェクト機構と、イジェクト時にキャリッジ１５をロックするためのキャリッジロック機構とを含む。
【００２１】
レバーユニット５０はイジェクトレバー５１とロックレバー５２とを有する。イジェクトレバー５１は、フロッピーディスク４０のシャッタ４９を開閉するシャッタ駆動機構の要素と、フロッピーディスク４０をフロッピーディスクドライブ１０から排出するためのイジェクト機構の要素とを兼用している。ロックレバー５２はキャリッジ１５の近傍に配置され、イジェクト時にキャリッジをロックするためのものである。
【００２２】
イジェクト機構は、フロッピーディスクドライブ１０のフロトベセル（図示せず）の外面に突き出しているイジェクトボタン５４と、このフロントベゼルの受入れ口（図示せず）から挿入されたフロッピーディスク４０をその一面が対向するように位置づけるイジェクトプレート５５と、一端がイジェクトプレート５５に係合し、他端がディスクホルダユニット６０（後述する）に係合したイジェクトバネとを有する。なお、イジェクトプレート５５は奥行き方向の先端にラック５５ａを備え、このラック５５ａはメインフレーム上の表面上で回転可能に支持されたピニオン（図示せず）と係合する。レバーユニット５０はばね機構５７により反時計回りに付勢されている。
【００２３】
フロッピーディスク４０をフロッピーディスクドライブ１０に挿入したとする。すなわち、フロッピーディスク４０を図５の矢印Ａで示す方向に押し込むと、シャッタ４９（図４）の右側縁上端にイジェクトレバー５１の先端５１ａが係合し、フロッピーディスク４０の移動に伴って、レバーユニット５０は時計回りに回動する。これに伴って、イジェクトレバー５１の先端５１ａはシャッタ４９を開く。
【００２４】
フロッピーディスク４０がフロッピーディスクドライブ１０中に完全に収納されると、フロッピーディスク４０は図示しないディスクロック機構によりこの状態でディスクホルタユニット６０に保持される。
【００２５】
次に、図６を参照して、高密度型フロッピーディスクドライブに使用されるスピンドルモータ１００およびディスクチャッキング機構について説明する。図６において、（Ａ）は平面図、（Ｂ）はロータ側をＣ−Ｃ線で、ステータ側をＤ−Ｄ線で切った断面図である。
【００２６】
図示のスピンドルモータ１００は、メインフレーム１１の裏面ではなくメインフレーム１１の表面上（すなわち、フロッピーディスク４０（図４）が挿入される側の面上）に搭載されるタイプであって、特に、メインフレーム１１の凹部１１ａ内に埋め込まれた状態で取り付けられるタイプである。
【００２７】
メインフレーム１１は凹部１１ａ内に略円筒形の軸受メタル１０２を有し、この軸受メタル１０２はメインフレーム１１の主面に対して実質的に直角な状態で立設している。この軸受メタル１０２内には、スピンドルシャフト１０４が、メインフレーム１１の主面に対して実質的に直角な状態で、ボールベアリング１０６を介してメインフレーム１１に対して回転自在に支持されている。このスピンドルシャフト１０４は、高密度フロッピーディスクドライブに挿入された大容量フロッピーディスク４０の磁気ディスク媒体の回転軸Ｏとして働く。スピンドルシャフト１０４の上端には円形状のディスクテーブル１２が嵌合され、ディスクテーブル１２の主面は、スピンドルシャフト１０４の長手方向（回転軸Ｏの方向）と直交する方向へ延在している。
【００２８】
すなわち、ディスクテーブル１２はメインフレーム１１の表面上で回転可能に支持され、高密度型フロッピーディスクドライブ中に挿入された大容量プロッピーディスク４０を、互いの中心軸（回転軸０）が一致した状態で保持する。
【００２９】
ディスクテーブル１２の直径は、ディスクハブ４３の直径より大きくかつ円形開口４２ａの直径よりも小さい。
【００３０】
ディスクテーブル１２には、チャッキング孔４３ｂの対応位置にテーブル側駆動用長孔１２ａが穿設されている。このテーブル側駆動用長孔１２ａを通してチャッキングピン１０８がチャッキング孔４３ｂ内に遊貫する。テーブル側駆動用長孔１２ａは傾斜部１２ｂを持つ。チャッキングピン１０８は、ディスクテーブル１２の下面に取り付けられたマグネットケース１１０の可撓性のアーム１１２の一端に、保持部１１４のを介して、上方に付勢された状態でテーブル駆動用長孔１２ａ内で回転・遊動自在に取り付けられる。したがって、チャッキングピン１０８に対して上から荷重を加えると、チャッキングピン１０８は下方へ動く（沈む）。
【００３１】
マグネットケース１１０は鉄製品であり、プレス加工により略盆状に形成されている。すなわち、マグネットケース１１０は円板部１１６と外周壁１１８とから成る。円板部１１６はディスクテーブル１２の延在方向と平行に延在ている。外周壁１１８は円板部１１６の外周で下方に折り曲げられている。この外周壁１１８の内側面にリング状のメインマグネット１２０が固定されている。
【００３２】
とにかく、スピンドルシャフト１０４とディスクテーブル１２とチャッキングピン１０８とマグネットケース１１０とアーム１１２と保持部１１４とメインマグネット１１８とによって、スピンドルモータ１００のロータが構成されている。また、このロータはディスクチャッキング機構としても働く。
【００３３】
軸受メタル１０２はフランジ部１０２ａを有する。このフランジ部１０２ａにコア１２２がネジ（図示せず）によって固定され、装着されている。このコア１２２は、等間隔で放射状に延在する複数の磁極形成部１１２ａを有する。各磁極形成部１２２ａにコイル１２４が巻回されている。すなわち、磁極形成部１２２ａとコイル１２４との組み合わせによって電磁石（磁極）が形成される。この電磁石は、所定を間隙（ギャップ）を保って、上記メインマグネット１２０と対向配置されている。とにかく、コア１２２とコイル１２４とによって、スピンドルモータ１００のステータが構成されている。
【００３４】
マグネットケース１０８の外周壁１１８の外側面の任意の位置に、略直方体状のインデックス検出用マグネット１２８が固定されている。また、メインフレーム１１の凹部１１ａ内には、プリント基板１２６がネジ（図示せず）によって固定して収容されている。このプリント基板１２６に、インデックス検出用ｍｇウネット１２８から磁気を検出する磁気センサ（図示せず）が配置されている。
【００３５】
さらに、図示のスピンドルモータ１００は、バランズ手段としてのバランサ１３０を備えている。このバランサ１３０は、スピンドルシャフト１０４を間に挟んでチャッキングピン１０８と反対側で、マグネットケース１１０の下面に取り付けられている。これにより、ロータの重心Ｇを回転軸Ｏに一致させて、回転時（特に、高速回転時）にロータをバランスさせている。
【００３６】
次に、図５に加えて図１を参照して、高密度型フロッピーディスクドライブ１０に使用されるディスクホールド機構について説明する。図１において、（ａ）は平面図、（ｂ）は正面図、（ｃ）は左側面図、（ｄ）は右側面図である。
【００３７】
高密度型フロッピーディスクドライブ１０は、ディスクホールド機構として、前述したフロッピーディスク４０を保持するディスクホルダユニット６０と、以下に述べるフロッピーディスク４０の位置決め手段を備えている。
【００３８】
図７をも参照して、図示の位置決め手段は、フロッピーディスク４０の高さ方向に位置決めを行うために、メインフレーム１１上でフロッピーディスク４０の四隅に対応した位置に設けられた４個の高さ位置決め用ピン６１と、フロッピーディスク４０の前後左右方向の位置決めを行うために、メインフレーム１１上で挿入方向Ａの前方両側の位置に設けられた２個の前後左右位置決め用突起６２とを備えている。前後左右位置決め用突起６２は、ダイカストによりメインフレーム１１と一体に製造され、ディスクホールド時にフロッピーディスク４０の係合穴４７および４８に係合する。高さ位置決め用ピン６１はメインフレーム１１に設けられた圧入穴１１ａに圧入される。
【００３９】
このようにして、フロッピーディスク４０はディスクホルダユニット６０内に保持された状態で、高さ位置決め用ピン６１および前後左右位置決め用突起６２によって位置決めされる。しかしながら、フロッピーディスク４０の周辺部は上述した位置決め手段によって位置決めされて固定されているが、フロッピーディスク４０の中心部（ディスクハブ）は、ディスクテーブル１２に磁気的に吸引された状態で、ディスクテーブル１２上に載置されているだけである。
【００４０】
フロッピーディスクドライブ１０がフロッピーディスク４０の磁気ディスク媒体４１に対してデータの書込み／読出しを行っている最中（すなわち、フロッピーディスクドライブ１０の動作中）に、外部から振動や衝撃等がフロッピーディスクドライブ１０に対して加わる場合がある。その際、ディスクチャッキング機構のディスクテーブル１２は、フロッピーディスクドライブ１０のドライブ本体に対してガタを持っているので、上下方向へ振動する。そして、ディスクテーブル１２上にフロッピーディスク４０のディスクハブ４３が磁気的に吸引されているだけなので、フロッピーディスク４０自体がドライブ本体に対して上下方向へ振動してしまう。フロッピーディスク４０がドライブ本体に対して上下方向へ振動すると、フロッピーディスク４０の磁気ディスク媒体４１に対してそれにアクセスする磁気ヘッドのヘッドタッチが不安定になってしまう。その結果、磁気ディスク媒体４１に対するデータの読出しエラーが発生してしまう。
【００４１】
本発明ではこのような問題を解決するために、本発明に係るディスクホールド機構は、フロッピーディスク４０がディスクホルダユニット６０内に保持されている状態で、フロッピーディスク４０ほぼ中心部をこのフロッピーディスク４０の上面から下方へ向けて付勢するための板バネ６３を備えている。これによって、フロッピーディスクドライブ１０に対して外部から振動や衝撃が加わっても、フロッピーディスク４０がディスクホルダユニット６０内でガタつくのを防止することができる。すなわち、フロッピーディスク４０自体の上下方向の動きを規制することができる。これにより、磁気ディスク媒体４１に対する磁気ヘッドのヘッドタッチを常に安定に維持することができる。この結果、データの読出しエラーの発生を防ぐことができる。
【００４２】
図１に加えて図２をも参照すると、板バネ６３は中央部に開口６３ａを有し、この開口６３ａをディスクホルダユニット６０の係合片６０ａによって係合することにより、板バネ６３はディスクホルダユニット６０の上面に取り付けられている。また、ディスクホルダユニット６０は、フロッピーディスク４０の中心部と対応する位置に開口６０ｂが形成されている。板バネ６３は、この開口６０ｂを介してディスクホルダユニット６０の上面から下方へ突出する突起部６３ｂを備えている。この突起部６３ｂがフロッピーディスク４０のほぼ中心部をこのフロッピーディスク４０の上面から下方へ向けて付勢する。
【００４３】
図２に示した付勢手段である板バネ６３は片持ちバネであるが、図３に示すように、両持ち支点の板バネ６３Ａを使用しても良い。
【００４４】
また、板バネの材質は、鉄、非鉄金属、プラスチックやスポンジ等を使用することができ、可撓性のあるものであれば何を使用しても良い。
【００４５】
尚、図１に示すイジェクトスイッチ５８は、イジェクトボタン５４を操作した直後で、かつイジェクト機構が実際に動作を介しする前に、データ書込み禁止信号を発生する。
【００４６】
また、図示の高密度型フロッピーディスクドライブ１０は、さらに、プリント配線基板（図示せず）上に、挿入方向Ａの後端の左側角部でスイッチユニット７０が搭載されている。このスイッチユニット７０はプッシュスイッチから成る。スイッチユニット７０は、書込み保護用孔、大容量識別検出用孔４５および種類識別用検出孔４６を検出するためのものである。詳細に説明すると、スイッチユニット７０は、書込み保護用孔の開閉状態を検出するために、書込み保護用孔の対応位置に設けられた書込み制御スイッチ７１と、挿入されたフロッピーディスクが大容量フロッピーディスク４０であるか通常容量フロッピーディスクであるかを識別検出するために、大容量識別検出用孔４５の対応位置に設けられた大容量識別スイッチ７２と、種類識別用検出孔４６の有無を検出するために、種類識別用検出孔４６の対応位置に設けられた種類識別スイッチ７３とを備えている。
【００４７】
本発明は上述した実施形態に限定せず、本発明の趣旨を逸脱しない範囲内で種々の変更・変形が可能なのは勿論である。例えば、上述した実施の形態では、大容量フロッピーディスクをアクセス可能な高密度型フロッピーディスクドライブを例に挙げて説明したが、通常容量フロッピーディスクのみをアクセス可能な通常密度専用型フロッピーディスクドライブにも適用できるのは勿論である。
【００４８】
【発明の効果】
以上の説明から明らかなように、本発明によるディスクホールド機構は、ディスクがディスクホルダユニット内に保持されている状態で、ディスクのほぼ中心部をこのディスクの上面から下方へ向けて付勢するための板バネを備え、ディスクホルダユニットは、係合片を持つと共に、ディスクの中央部と対応する位置に開口が形成されており、板バネは中央部に係合片に係合される開口を有し、これによって板バネはディスクホルダユニットの上面に取り付けられ、板バネは、ディスクホルダユニットの開口を介してディスクホルダユニットの上面から下方へ突出する突起部を備えているので、ディスク装置に対して外部から振動や衝撃が加わっても、ディスクがディスクホルダユニット内でガタつくのを防止することができる。すなわち、ディスク自体の上下方向の動きを規制することができる。これにより、磁気ディスク媒体に対する磁気ヘッドのヘッドタッチを常に安定に維持することができ、データの読出しエラーの発生を防ぐことができる。
【図面の簡単な説明】
【図１】本発明の一実施の形態によるディスクホールド機構を備えたフロッピーディスクドライブ示す図で、（ａ）は平面図、（ｂ）は正面図、（ｃ）は左側面図、（ｄ）は右側面図である。
【図２】図１のＦ−Ｆ線で切った断面図である。
【図３】本発明の別の実施の形態によるディスクホールド機構を示す、図２と同様の断面図である。
【図４】図１に示したフロッピーディスクドライブでアクセスされるフロッピーディスクを裏面側から見た平面図である。
【図５】本発明によるディスクホールド機構を備えたフロッピーディスクドライブを示す平面図である。
【図６】図５に示したフロッピーディスクドライブに使用されるスピンドルモータを詳細に示す図で、（Ａ）は平面図、（Ｂ）はロータ側をＣ−Ｃ線で、ステータ側をＤ−Ｄ線で切った断面図である。
【図７】図１のＥ−Ｅ線で切った断面図である。
【符号の説明】
６０    ディスクホルダユニット
６３，６３Ａ    板バネ
【図１】
0003750701.tif 000002
【図２】
0003750701.tif 000003
【図３】
0003750701.tif 000004
【図４】
0003750701.tif 000005
【図５】
0003750701.tif 000006
【図６】
0003750701.tif 000007
【図７】
0003750701.tif 000008